(57)【要約】【課題】携帯端末機３００における顔等の生体認証システムにおいては、携帯端末機本体のアプリケーションプロセッサー６０が認証を行っている。また、一方でアプリケーションプロセッサー６０は通信処理や人とのインタフェイス処理等を行っているため前記アプリケーションプロセッサー６０の動作は煩雑であり、制御プログラムも複雑になっている。このため、アプリケーションプロセッサーに対する負荷が大きく、生体認証の処理速度が遅い。あるいは、生体認証のエラーが起きやすい。あるいは、アプリケーションプロセッサー６０の性能が低いと生体認証が出来ない等の問題があった。【解決手段】携帯端末機に搭載したカメラモジュールの画像処理ＩＣに通常の撮影と画像処理機能に加えて、前記画像処理機能に関わる生体認証機能を持たせた。【選択図】図１
2008072605.tif 000002
【特許請求の範囲】
【請求項１】
カメラモジュール付き携帯端末機のカメラにより前記携帯端末機所有者の生体（たとえば顔など）を撮影して、前記撮影データより第１の生体情報を生成し、前記第１の生体情報を認証データとして記憶保存し、前記携帯端末機の常態使用開始時には、前記カメラにより前記携帯端末機使用者の生体を撮影して第２の生体情報を生成し、前記認証データと前記第２の生体情報を比較して生体認証を行い、前記生体認証結果が前記携帯端末機の正規に登録した所有者であると判定したときに前記携帯端末機の使用を許可する携帯端末機において、前記生体認証機能を前記カメラモジュールに内蔵したことを特徴とする生体認証機能付き携帯端末機。
【請求項２】
前記カメラモジュール内の画像処理ＩＣは、前記撮影データより前記第１の生体情報あるいは前記第２の生体情報への変換と認証動作を行うことを特徴とする請求項１に記載の生体認証機能付き携帯端末機。
【請求項３】
前記生体の撮影データから画像処理ＩＣにより生成した第１の生体情報は前記カメラモジュール内のパラメータメモリに認証データとして保存することを特徴とする請求項１乃至請求項２に記載の生体認証機能付き携帯端末機。
【請求項４】
前記撮影データから画像処理ＩＣにより生成した第１の生体情報は前記携帯端末機のメインプロセッサーのメモリに認証データとして保存し、前記認証データは前記第２の生体情報との比較認証時に、前記メモリから前記カメラモジュールへ伝送することを特徴とする請求項１乃至請求項２に記載の生体認証機能付き携帯端末機。
【請求項５】
前記撮影データより生成した第１の生体情報は認証データとして前記携帯端末機の無線通信回路を経て通信会社のデータベースに保存し、前記第２の生体情報との比較認証時に、前記通信会社のデータベースから前記認証データを受け取り、認証動作を行うことを特徴とする請求項１乃至請求項２に記載の生体認証機能付き携帯端末機。
【請求項６】
前記携帯端末機は、携帯電話機能のほか、位置検出機能または地上デジタルＴＶ受信機能または音楽再生機能を備えたことを特徴とする請求項１乃至請求項２および請求項３乃至請求項５記載のいずれか１項記載の生体認証機能付き携帯端末機。
【発明の詳細な説明】
【技術分野】
【０００１】
本発明は、カメラ付き携帯端末機におけるセキュリティ確保のための生体認証機能に関する。
【背景技術】
【０００２】
近年の携帯電話機をはじめ携帯端末機は通話機能のほかゲームはもとより、位置検出機能、ＴＶ聴取、音楽鑑賞などの機能を備えている。従って、前記携帯端末機の紛失・盗難等によりこれら携帯電話機あるいは携帯端末機の電話帳、通話履歴、メール内容、各種データなどの携帯電話機あるいは携帯端末機に内蔵された個人情報のほか、各種機能などを第三者に不正に利用されて損害を被る場合がある。これらの損害を防止するために携帯電話機あるいは携帯端末機にはいろいろなセキュリティ機能を有するものがある。
【０００３】
最も基本的な携帯電話機あるいは携帯端末機の第三者による不正利用防止セキュリティ機能は暗証番号の入力であるが、近年は前記携帯電話機あるいは携帯端末機所有者の生体認証機能をもつものが普及している。すなわち、指紋、顔、あるいは音声認識などにより携帯電話機あるいは携帯端末機所有者固有の生体認証を行い、事前に登録した生体認証データとの一致により該携帯電話機あるいは携帯端末機の機能使用を許可するのである。
【０００４】
たとえば、特許文献１に開示されている携帯電話機は、顔による本人かどうかの認証を用いることによって、暗証番号の入力を行う必要をなくして操作性を向上させた携帯電話機に関するものである。特許文献１に開示されている従来の携帯電話機の構成を図３にもとづいて説明する。
【０００５】
図３は従来の携帯電話機の構成例である。図３において、２００は携帯電話機である。４０は制御部、４０ａは制御部４０を構成する主たるアプリケーションプロセッサーおよび生体認証データのメモリ部、４１は無線通信回路、４１ａはアンテナ、４２は表示部、４３は操作部、５０はカメラである。
【０００６】
カメラ５０で撮像された画像は、制御部４０に送られ、メモリ部４０ａに予め登録されたユーザデータを用いて顔認証処理が行われるのである。つまり、制御部４０は送受信部４１の通話あるいは通信系の制御と携帯電話機２００の使用者の顔をカメラ５０で撮影して事前登録データとの認証処理の全てを制御・実行するのである。
【０００７】
すなわち、従来の生体認証機能を有する携帯電話機あるいは携帯電話機能を有する機携帯端末機は通信系の制御と生体認証を制御部が内蔵するひとつのアプリケーションプロセッサーで処理するのである。以下従来の機携帯端末機における通信系の制御と生体認証の詳細をさらに図４にもとづいて詳述する。
【０００８】
図４は従来の携帯端末機等の構成を示すブロック図である。図５は図４に示した従来の携帯端末機等の生体認証のフローチャートを示す。
【０００９】
図４において、３００は携帯端末機である。６０はアプリケーションプロセッサー、６０ａは前記アプリケーションプロセッサー６０の生体認証アルゴリズム領域、６０ｂはアプリケーションプロセッサー６０のプログラムおよび生体認証用データを格納したメモリである。６１は無線通信回路、６２は液晶表示器、６３は地上波デジタルＴＶ、６４は音楽再生機、７０はカメラモジュールである。
【００１０】
カメラモジュール７０はイメージセンサー７１、画像処理ＩＣ７２、パラメータメモリ７３で構成されている。また、７０ａは画像データ信号線、７０ｂは制御信号線であって、カメラモジュール７０の画像データは、制御信号線７０ｂ経由のカメラモジュール７０からの要求とアプリケーションプロセッサー６０の制御で画像データ信号線７０ａを経由してアプリケーションプロセッサー６０に転送される。
【００１１】
６１ａ、６２ａ、６３ａ、６４ａは、無線通信回路６１、液晶表示器６２、地上波デジタルＴＶ６３、音楽再生機６４のそれぞれとアプリケーションプロセッサー６０間でデータあるいは制御信号の授受を行う信号線である。
【００１２】
次に図４にもとづいて各構成部の機能を詳述する。
アプリケーションプロセッサー６０は、携帯端末機３００のメインコントローラで、携帯端末機３００の無線通信回路６１の機能制御、液晶表示器６２の制御、人とのインタフェイスの制御のほか、後述の携帯電話に組み込まれたアミューズメント機能である地上波デジタルＴＶ６３あるいは、音楽再生機６４などの動作を制御する。
【００１３】
さらに、ここでは前記アプリケーションプロセッサー６０は生体認証アルゴリズム６０ａによりカメラモジュール７０の画像データから人が持っている顔の生体固有情報を生体認証用データ（数値）に変換してメモリ６０ｂに格納するコントローラでもある。あるいは、前記生体認証アルゴリズム６０ａによりカメラモジュール７０の画像データと前記メモリ６０ｂに格納した前記生体認証用データを参照比較して、合否を判定し、前記携帯端末機３００の動作を許可あるいは拒否を制御するコントローラでもある。
【００１４】
カメラモジュール７０のイメージセンサー７１は、ＣＭＯＳプロセスやＣＣＤプロセスで製造された半導体であって、前記半導体の例えば、フォトダイオードの集合体でカメラレンズを介した画像データを取り込む入力部になる。
【００１５】
カメラモジュール７０の画像処理ＩＣ７２は、イメージセンサー７１から入力されたデータを画像データ、すなわち、ビットマップデータや圧縮データ（写真データ）に変換する。
【００１６】
カメラモジュール７０のパラメータメモリ７３は、カメラモジュール７０の個々のバラツキを吸収するパラメータを保存しているメモリである。
【００１７】
音楽再生機６４は、携帯端末機内蔵メモリ、ＳＤカード、ＨＤＤ等に保存された音楽データを再生し、携帯電話をオーディオとして使う機能である。
【００１８】
地上波デジタルＴＶ６３は近年サービスが開始された携帯電話用デジタルＴＶ（ワンセグ）放送の受信機能である。
【００１９】
制御信号７０ｂは、アプリケーションプロセッサー６０が画像処理ＩＣ７２を制御し、画像処理ＩＣ７２からアプリケーションプロセッサー６０に対して処理状況を通知する信号である。
【００２０】
次に図５にもとづいて従来の携帯端末機３００の生体認証のフローを説明する。
８１は認証画像取得ステップ、８２は画像処理ステップ、８３は画像データ出力ステップ、８４は認証用データ変換ステップ、８５は認証データ保存ステップ、８６は認証データ照合ステップ、８７は判定後の処理ステップである。
【００２１】
まず、従来の携帯端末機３００の顔（生体）認証機能を有効にするプロセスを説明する。
認証画像取得ステップ８１ではイメージセンサー７１により顔画面データを取り込み、画像処理ステップ８２では前記イメージセンサー７１により取り込んだ顔画面データを画像処理ＩＣ７２で画像データに変換し、画像データ出力ステップ８３では前記画像処理ＩＣ７２で変換した画像データをアプリケーションプロセッサー６０に出力する。認証用データ変換ステップ８４では前記画像データから顔の特徴を第１の生体固有データに変換し、認証用データ保存ステップ８５で前記固有データをメモリ６０ｂに認証データとして保存する。
【００２２】
次に、前記携帯端末機３００で顔（生体）認証を行うプロセスを説明する。
前記認証機能を有効にするプロセスの認証画像取得ステップ８１から認証用データ変換ステップ８４で前記画像データから顔の特徴を再度第２の生体固有データに変換するまでのステップは同じである。次に認証データ照合ステップ８６に飛び、前記第２の生体固有データと前記メモリ６０ｂに認証用データとして保存した第１の生体固有データをアプリケーションプロセッサー６０で比較を行い、判定後の処理ステップ８７では前記比較結果が一定レベル以内であれば、アプリケーションプロセッサー６０は携帯端末機３００の機能解除処理を行う。
【００２３】
すなわち、従来の携帯端末機３００の顔（生体）認証機能を有効にするためには、はじめに、認証する元データ（携帯端末機３００の使用者の顔データ）をイメージセンサー７１で取り込み、画像処理ＩＣ７２で画像処理を行う。画像処理を行ったデータをメインコントローラ、すなわち、アプリケーションプロセッサー６０に出力する。前記アプリケーションプロセッサー６０は入力された画像データを認証用のデータに変換してメモリ６０ｂに認証用データとして保存する。
【００２４】
顔（生体）認証を行う場合には、認証するデータ（顔データ）をイメージセンサー７１で取り込み、画像処理ＩＣ７２で画像処理を行う。画像処理を行ったデータをメインコントローラ、すなわち、アプリケーションプロセッサー６０に出力する。前記アプリケーションプロセッサー６０は入力された画像データを認証用のデータに変換する。次いで、前記アプリケーションプロセッサー６０はメモリ６０ｂに保存している認証用データと入力された認証用画像データを照合する。照合した結果が合致していれば携帯端末機３００の機能解除処理を行い、合致しない場合は液晶表示器６２で解除不可の表示等を行うのである。
【００２５】
【特許文献１】特開２００５−２４４５８９号公報（第４頁、図２）
【発明の開示】
【発明が解決しようとする課題】
【００２６】
しかしながら、図４および図５に示す従来の携帯端末機３００における顔等の生体認証システムにおいては、携帯端末機本体のアプリケーションプロセッサー６０が認証を行っている。また、一方でアプリケーションプロセッサー６０は通信処理や人とのインタフェイス処理等を行っているため前記アプリケーションプロセッサー６０の動作は煩雑であり、制御プログラムも複雑になっている。
【００２７】
このため、アプリケーションプロセッサーに対する負荷が大きく、生体認証の処理速度が遅い。あるいは、生体認証のエラーが起きやすい。あるいは、アプリケーションプロセッサー６０の性能が低いと生体認証が出来ない等の問題があった。
【００２８】
そこで、本発明の目的は、携帯端末機のアプリケーションプロセッサーの負荷を通信処理や人とのインタフェイス処理等に限定し、その動作と制御プログラムを簡略化して前記アプリケーションプロセッサーの負荷を軽減すると同時に、生体認証のエラーが起きにくく処理速度も早い、顔（生体）認証機能付き携帯端末機を提供することにある。
【課題を解決するための手段】
【００２９】
本発明の携帯端末用生体認証システムは、基本的には下記記載の要件を採用するものである。
【００３０】
カメラモジュール付き携帯端末機のカメラにより前記携帯端末機所有者の生体（たとえば顔など）を撮影して、前記撮影データより第１の生体情報を生成し、前記第１の生体情報を認証データとして記憶保存し、前記携帯端末機の常態使用開始時には、前記カメラにより前記携帯端末機使用者の生体を撮影して第２の生体情報を生成し、前記認証データと前記第２の生体情報を比較して生体認証を行い、前記生体認証結果が前記携帯端末機の正規に登録した所有者であると判定したときに前記携帯端末機の使用を許可する携帯端末機において、前記生体認証機能を前記カメラモジュールに内蔵したことを特徴とする。
【００３１】
前記カメラモジュール内の画像処理ＩＣは、前記撮影データより前記第１の生体情報あるいは前記第２の生体情報への変換と認証動作を行うことを特徴とする。
【００３２】
前記生体の撮影データから画像処理ＩＣにより生成した第１の生体情報は前記カメラモジュール内のパラメータメモリに認証データとして保存することを特徴とする。
【００３３】
前記撮影データから画像処理ＩＣにより生成した第１の生体情報は前記携帯端末機のメインプロセッサーのメモリに認証データとして保存し、前記認証データは前記第２の生体情報との比較認証時に、前記メモリから前記カメラモジュールへ伝送することを特徴とする。
【００３４】
前記撮影データより生成した第１の生体情報は認証データとして前記携帯端末機の無線通信回路を経て通信会社のデータベースに保存し、前記第２の生体情報との比較認証時に、前記通信会社のデータベースから前記認証データを受け取り、認証動作を行うことを特徴とする。
【００３５】
前記携帯端末機は、携帯電話機能のほか、位置検出機能または地上デジタルＴＶ受信機能または音楽再生機能を備えたことを特徴とする。
【００３６】
すなわち、本発明は、カメラモジュールを搭載した携帯端末機において、前記カメラモジュールが内蔵する画像処理ＩＣに、本来の画像処理機能に加えて、前記カメラモジュールのカメラで撮影した顔写真から顔（生体）固有のデータを生体情報として生成記憶する機能と、次回以降の顔写真の生体情報を比較し、合否を判定する機能、すなわち、生体情報認証用アルゴリズムを備えたことを特徴とする。
【００３７】
従って、本発明によるカメラモジュール付き携帯端末機の使用者制限セキュリティを有効にするには、まず、前記携帯端末機所有者の顔を撮影して、前記カメラモジュールが内蔵する画像処理ＩＣにより通常の画像データを生成する。
【００３８】
次に、前記顔の画像データから前記カメラモジュールが内蔵する画像処理ＩＣにより顔（生体）固有のデータを第１の生体情報として生成し、前記前記第１の生体情報は携帯端末機に認証データとして記憶する。
【００３９】
次回以降に前記携帯端末機を使用する場合には、前記カメラモジュールおよび前記画像処理ＩＣにより前記携帯端末機使用者の顔を撮影した画像データから顔（生体）固有のデータを第２の生体情報として生成する。
【００４０】
次に、前記カメラモジュールが内蔵する画像処理ＩＣにより、前記第２の生体情報と前記記憶した認証データとの比較照合を行う。そして、前記第２の生体情報が前記認証データと一致したときのみ前記携帯端末機を使用できる状態に携帯端末機のセキュリティを解除する。
【００４１】
また、前記比較照合のための認証データは、前記カメラモジュール内のパラメータメモリ、あるいは、前記携帯端末機のメインプロセッサーのメモリ、あるいは、前記携帯端末機の無線通信回路を経て通信会社のデータベースに保存し、前記第２の生体情報との比較認証時に、前記各メモリあるいはデータベースなどの記憶媒体から前記認証データを受け取り、認証動作を行うのである。
【００４２】
また、前記携帯端末機は、カメラモジュールと生体認証システムを有する携帯電話機能を備えた多機能携帯電話機の形態、あるいは、多機能携帯端末機の形態でも良い。
【発明の効果】
【００４３】
つまり、本発明の携帯端末機は、前記携帯端末機に搭載したカメラモジュールによる通常の撮影と画像処理機能に加えて、前記画像処理機能に関わる生体認証機能、すなわち、顔写真を解析して生体情報の抽出と記憶、および、前記生体情報の相互比較機能を前記カメラモジュールに搭載している。
【００４４】
すなわち、生体情報認証アルゴリズムは基本的にはカメラで撮影し、画像処理したデータを扱うのであるから、前記写真データを共有するという点で前記カメラモジュールのイメージセンサーで取り込んだ画像を画像処理ＩＣで写真データに変換するプロセスと、前記写真データを基準に生体（顔）の固有情報を数値化するプロセスは、前記カメラモジュール内の同一システムに内包することが望ましく、本発明では前記生体認証機能を前記画像処理ＩＣに包含させているのである。
【００４５】
従って、前記携帯端末機のメインコントローラ(アプリケーションプロセッサー)は生体認証処理を行わないので、本来の携帯端末機機能専用として動作させることができる。このため、メインコントローラ(アプリケーションプロセッサー)のソフト処理が軽くなり、携帯端末機本体は生体認証機能以外のその他の処理も可能となる。
また、画像処理機能に関わる生体認証機能を同一カメラモジュールに内蔵することで、生体認証時間が短縮できる。
【００４６】
また、前記携帯端末機本体と生体認証機能を含むカメラモジュールを分離してソフト開発できるので、開発期間の短縮と開発費の削減ができる。
また、前記携帯端末機本体と生体認証機能を含むカメラモジュールのハードウェアとソフトウェアを分離することで、前記携帯端末機本体のメインコントローラ(アプリケーションプロセッサー)の性能が低くても高度な生体認証が可能になる。
【発明を実施するための最良の形態】
【００４７】
以下、本発明の第１の実施形態を図１と図２にもとづいて説明する。図１は本発明の携帯端末機の構成を示すブロック図である。図２は図１に示した本発明の携帯端末機等の生体認証のフローチャートを示す。
【００４８】
図１において、１００は携帯端末機である。１０は前記携帯端末機のメインコントローラであるアプリケーションプロセッサー、１０ａは前記アプリケーションプロセッサー１０のメインプログラムを格納したメモリ、１０ｂはアプリケーションプロセッサー１０とメモリ１０ａのアドレスおよびデータ信号線である。
【００４９】
１１は無線通信回路、１２は液晶表示器、１３は地上波デジタルＴＶ、１４は音楽再生機、２０はカメラモジュールである。
【００５０】
次に図１にもとづいて各構成部の機能を詳述する。
アプリケーションプロセッサー１０は、携帯端末機１００のメインコントローラであって、携帯端末機の無線通信回路１１の機能制御、液晶表示器１２の制御、人とのインタフェイスの制御のほか、携帯端末機に組み込まれたアミューズメント機能である地上波デジタルＴＶ１３あるいは、音楽再生機１４などの動作を制御する。
１１ａ、１２ａ、１３ａ、１４ａは、無線通信回路１１、液晶表示器１２、地上波デジタルＴＶ１３、音楽再生機１４のそれぞれとアプリケーションプロセッサー１０間でデータあるいは制御信号の授受を行う信号線である。
【００５１】
カメラモジュール２０はイメージセンサー２１、画像処理ＩＣ２２、パラメータメモリ２３で構成されている。また、２０ａは画像データ信号線、２０ｂは制御信号線であって、カメラモジュール２０の画像データは、制御信号線２０ｂ経由のカメラモジュール２０からの要求とアプリケーションプロセッサー１０の制御で画像データ信号線２０ａを経由してアプリケーションプロセッサー１０に転送される。
【００５２】
また、画像処理ＩＣ２２は、生体認証アルゴリズム２２ａを内蔵し、イメージセンサー２１で取り込み、画像処理ＩＣ２２で変換した写真データから前記生体認証アルゴリズム２２ａのプログラムによりカメラモジュール２０の画像データから人が持っている顔の生体固有情報を生体認証用データ（数値）に変換して、パラメータメモリ２３の一部に認証データ２３ａとして格納するのである。
【００５３】
さらに、画像処理ＩＣ２２は、当初に取り込んだ顔の生体固有情報の前記認証データ２３ａとその後に取り込んだ写真データからの顔の生体固有情報を参照比較して、合否を判定し、制御信号線２０ｂを経由してその合否結果を前記アプリケーションプロセッサー１０に通知する。認証データ２３ａと後に取り込んだ顔の生体固有情報が合致していれば、前記アプリケーションプロセッサー１０は前記携帯端末機１００の動作を許可する。
【００５４】
なお、図１にもとづく説明では、認証データ２３ａはパラメータメモリ２３の一部に格納しているが、認証データ２３ａは常時参照データではなく、前記携帯端末機１００の使用開始時に参照するだけであるから、前記携帯端末機１００のメインコントローラであるアプリケーションプロセッサー１０のプログラムを格納した、メモリ１０ａの一部に格納してもよい。
【００５５】
あるいは、前記携帯端末機１００の無線通信回路１１を経て通信会社のデータベースに前記カメラモジュール２０で生成した認証データを保存し、前記携帯端末機１００の常態使用開始時に前記通信会社のデータベースから前記通信会社のデータベースに保存した前記認証データを受け取り、アプリケーションプロセッサー１０を経由してカメラモジュール２０に前記認証データを伝送して常態使用開始時の認証を行っても良い。
【００５６】
音楽再生機１４、あるいは地上波デジタルＴＶ１３は、図４にもとづいて説明した音楽再生機６４、あるいは、地上波デジタルＴＶ６３等と同等な機能である。
【００５７】
次に図２にもとづいて本発明の携帯端末機１００の生体認証のフローを説明する。
３１は認証画像取得ステップ、３２は認証用データ変換ステップ、３３は認証データ保存ステップ、３４は認証データ照合ステップ、３５は判定後の処理ステップである。
【００５８】
まず、従来の携帯端末機１００の顔（生体）認証機能を有効にするプロセスを説明する。
認証画像取得ステップ３１ではイメージセンサー２１により顔画面データを取り込み、認証用データ変換ステップ３２では前記イメージセンサー２１により取り込んだ顔画面データを画像データへの変換と認証用データ変換とを同一画像処理ＩＣ２２で行い、前記画像データから顔の特徴を第１の生体固有データに変換し、認証用データ保存ステップ３３で前記第１の生体固有データをパラメータメモリ２３の一部に認証用データ２３ａとして保存する。
【００５９】
次に、前記携帯端末機１００で顔（生体）認証を行うプロセスを説明する。
前記認証機能を有効にするプロセスの認証画像取得ステップ３１から認証用データ変換ステップ３２で前記画像データから顔の特徴を再度第２の生体固有データに変換するまでのステップは同じである。
次に認証用データ照合ステップ３４に飛び、前記第２の生体固有データと前記パラメータメモリ２３の一部に認証用データ２３ａとして保存した第１の生体固有データを前記画像処理ＩＣ２２比較と判定を行い、判定後の処理ステップ３５では前記比較結果が一定レベル以内であれば、アプリケーションプロセッサー１０に伝送し、アプリケーションプロセッサー１０により携帯端末機１００の機能解除処理を行う。
【００６０】
すなわち、本発明の携帯端末機１００の顔（生体）認証機能を有効にするためには、はじめに、認証する元データ（携帯端末機１００の使用者の顔データ）をイメージセンサー２１で取り込み、画像処理ＩＣ２２で画像処理と認証用データ変換を行いパラメータメモリ２３の一部に認証用データ２３ａとして保存する。
【００６１】
顔（生体）認証を行う場合には、認証するデータ（顔データ）をイメージセンサー２１で取り込み、画像処理ＩＣ７２で画像処理と認証用データ変換を行いう。次いで、画像処理ＩＣ７２により認証用データ２３ａと入力された認証用画像データを照合し、照合結果をアプリケーションプロセッサー１０に伝送し、アプリケーションプロセッサー１０は、照合した結果が合致していれば携帯端末機１００の機能解除処理を行い、合致しない場合は液晶表示器１２で解除不可の表示等を行うのである。
【００６２】
すなわち、図１および図２にもとづいて説明した本発明の携帯端末機は、前記携帯端末機に搭載したカメラモジュールの画像処理ＩＣに通常の撮影と画像処理機能に加えて、前記画像処理機能に関わる生体認証機能を待たせた。従って、前記携帯端末機のメインコントローラ(アプリケーションプロセッサー)は生体認証処理を行わないので、前記メインコントローラは本来の携帯端末機機能専用として動作させることができる。この結果、前記メインコントローラのソフト処理が軽くなる。また、画像処理機能に関わる生体認証機能をカメラモジュールに内蔵統一して前記メインコントローラと分離することでソフト開発が容易になり、生体認証時間も短縮できるのである。
【図面の簡単な説明】
【００６３】
【図１】本発明の携帯端末機の構成を示すブロック図である。
【図２】図１に示した本発明の携帯端末機等の生体認証のフローチャートを示す。
【図３】従来の携帯電話機の構成例である。
【図４】従来の携帯端末機等の構成を示すブロック図である。
【図５】図４に示した従来の携帯端末機等の生体認証のフローチャートを示す。
【符号の説明】
【００６４】
１０、６０    アプリケーションプロセッサー
１０ａ、６０ｂ    メモリ
１１、４１、６１    無線通信回路
１２、６２    液晶表示器
１３、６３    地上波デジタルＴＶ
１４、６４    音楽再生機
２０、７０    カメラモジュール
２１、７１    イメージセンサー
２２、７２    画像処理ＩＣ
２３、７３    パラメータメモリ
２２ａ、６０ａ    生体認証アルゴリズム
２３ａ    認証データ
３１、８１    認証画像取得ステップ
３２、８４    認証用データ変換ステップ
３３、８５    認証データ保存ステップ
３４、８６    認証データ照合ステップ
３５、８７    判定後の処理ステップ
４０    制御部
４０ａ    メモリ部
４１ａ    アンテナ
４２    表示部
４３    操作部
５０    カメラ
８２    画像処理ステップ
８３    画像データ出力ステップ
２００    携帯電話機
１００、３００    携帯端末機
【図１】
2008072605.tif 000003
【図２】
2008072605.tif 000004
【図３】
2008072605.tif 000005
【図４】
2008072605.tif 000006
【図５】
2008072605.tif 000007